(57)【要約】 【課題】  小型で、容易な操作で撮影する方向を変化させることができ、さらに撮影する画像を確認しながら撮影できるカメラ付き携帯端末装置およびカメラ付き携帯電話機を提供することを目的とする。【解決手段】  携帯電話機１は、外部からの光をレンズ１９を介してＣＣＤ２０に照射して撮像するカメラ付き携帯電話機であって、レンズ１９の光軸上でレンズ１９に光を反射する位置と光軸上以外の位置とに切り替えることができるミラー１８を有する。ミラー１８の位置を切替えることによって、外部からの光の光路を切り替え、被写体２３からの光に基づいて撮影する場合とミラー１８で反射させた被写体２４からの光に基づいて撮影する場合とに、撮影する方向を変えることができる。【選択図】      図１
2006195085.tif 000002
【特許請求の範囲】
【請求項１】
光を電気的な信号に変換して画像を撮像する撮像手段と、
光を反射する反射手段と、
前記反射手段を前記撮像手段の光軸上であって前記撮像手段に光を反射する位置と前記撮像手段の光軸上以外の位置とに移動させて切替える切替手段とを有することを特徴とするカメラ付き携帯端末装置。
【請求項２】
所定の表示内容を表示する表示手段と、
開放方向が前記表示手段の表示方向と同一の方向となるように設けられた第１開口部と、
開放方向が前記第１開口部の開放方向と直交するように設けられた第２開口部と、
光を電気的な信号に変換して画像を撮像する撮像手段と、
光を反射する反射手段と、
前記反射手段を第１位置と第２位置とに移動させて切替える切替手段とを有し、
前記撮像手段は、前記第１開口部および前記第２開口部のいずれか一方が光軸上になるように設けられ、
前記第１位置は、前記撮像手段の光軸上であって前記第１開口部および前記第２開口部のもう一方から入射された光を前記撮像手段に反射する位置であり、
前記第２位置は、前記撮像手段の光軸上以外の位置であることを特徴とするカメラ付き携帯端末装置。
【請求項３】
前記反射手段は、前記撮像手段によって撮像する光以外を遮断するように構成されていることを特徴とする請求項１または２記載のカメラ付き携帯端末装置。
【請求項４】
前記反射手段は、ミラーを含んで構成されることを特徴とする請求項１〜３のいずれか１つに記載のカメラ付き携帯端末装置。
【請求項５】
前記切替手段は、筺体の外部に突出するように設けられた移動可能な切替部材を有し、
前記切替部材を移動させることによって、前記反射手段を移動させるように構成されることを特徴とする請求項１〜４のいずれか１つに記載のカメラ付き携帯端末装置。
【請求項６】
第１筺体および第２筺体を有し、前記第１筐体と前記第２筐体とが折り畳み可能に構成されるカメラ付き携帯電話機において、
前記第１筺体には、前記第１筺体および前記第２筺体を相互に対向させた折り畳み状態で前記第１筺体の前記第２筺体に対向する対向領域に設けられ、所定の表示内容を表示する表示手段と、
開放方向が前記表示手段の表示方向と同一の方向となるように設けられた第１開口部と、
開放方向が前記第１開口部の開放方向と直交するように設けられた第２開口部と、
光を電気的な信号に変換して画像を撮像する撮像手段と、
光を反射する反射手段と、
前記反射手段を第１位置と第２位置とに移動させて切替える切替手段とを有し、
前記撮像手段は、前記第１開口部および前記第２開口部のいずれか一方が光軸上になるように設けられ、
前記第１位置は、前記撮像手段の光軸上であって前記第１開口部および前記第２開口部のもう一方から入射された光を前記撮像手段に反射する位置であり、
前記第２位置は、前記撮像手段の光軸上以外の位置であることを特徴とするカメラ付き携帯電話機。
【請求項７】
前記第２筺体には、前記第１筺体の前記撮像手段が配置されている凸部に対応して、凹部が形成されていることを特徴とする請求項６記載のカメラ付き携帯電話機。
【請求項８】
前記第２開口部は、第１筺体のヒンジと接続する領域とは反対側の領域に設けられることを特徴とする請求項６または７記載のカメラ付き携帯電話機。
【発明の詳細な説明】
【技術分野】
【０００１】
本発明は、被写体からの光によって形成された被写体像を光電変換素子によって電気信号に変換して画像を撮像する機能を有するカメラ付き携帯端末装置およびカメラ付き携帯電話機に関する。
【背景技術】
【０００２】
カメラ付き携帯端末装置およびカメラ付き携帯電話機は、一般に、撮影される画像を表示装置に映して確認しながら撮影することができる。また、カメラ付き携帯端末装置およびカメラ付き携帯電話機は、風景および他人を撮影するとともに、自分自身も撮影するという使い方がされている。
【０００３】
図３は、第１の従来技術であるカメラ付き携帯電話機３１の概略図である。カメラ付き携帯電話機３１は、現在、一般に市販されているカメラ付き携帯電話機である。カメラ付き携帯電話機３１は、第１筺体３２と第２筺体３３とをヒンジ３４によって折り畳みが可能に接続されている。第１筺体３２には、開口部３５、レンズ３６、ＣＣＤ（Charge
Coupled Device）３７、メインＬＣＤ（Liquid Crystal Display）３８、サブＬＣＤ３９を有しており、第２筺体３３には、入力キー４０を有している。メインＬＣＤ３８は、折り畳み状態で、第１筺体３２の第２筺体３３が対向する対向領域に設置されており、サブＬＣＤ３９および開口部３５は、折り畳み状態で、外部に露出し、第１筺体３２の対向領域の反対側の領域に設置されている。被写体４１からの光を開口部３５から入射させ、その入射光をレンズ３６でＣＣＤ３７に集光して撮像する。そうすることで、風景および他人などを撮影する場合には、メインＬＣＤ３８に映される画像を確認しながら撮影し、操作者である自分を撮影する場合には、サブＬＣＤ３９に映される画像を確認しながら撮影することができる。
【０００４】
第２の従来技術は、特許文献１および２に記載されている。特許文献１および２の携帯型情報端末機器は、入力部を有する筺体と表示部を有する筺体とを備え、それらがヒンジによって折り畳み可能に接続されている。さらに、入力部を有する筺体にカメラを有し、表示部を有する筺体にミラーを、折り畳み状態でカメラの光軸上になるように設置する。そのミラーを用いることによって、撮影する方向を変化させることができる。
【０００５】
第３の従来技術は、非特許文献１に記載されている。非特許文献１のカメラ付き携帯電話機は、入力部を有する筺体と表示部およびカメラを有する筺体とを備え、それらがヒンジによって折り畳み可能に接続されている。入力部を有する筺体には、ヒンジの中心線に垂直な軸線回りに回転できる回転ヒンジを有している。入力部を有する筺体を回転させることによって、表示部に映された画像を確認しながら撮影でき、撮影する方向も自由に変化させることができる。
【０００６】
第４の従来技術は、特許文献３に記載されている。特許文献３のカメラ付き通信端末装置は、通信端末装置にカメラが回転機構によって回転自在に取り付けられている。カメラを回転させることによって、撮影する方向を変化させることができる。
【０００７】
第５の従来技術は、特許文献４に記載されている。特許文献４のカメラ付き携帯端末機は、筺体の外部にミラーを有する部材を備えている。そのミラーを有する部材を組み立てて、ミラーの設置される角度を変化させることによって、ミラーが受光センサの光軸上の位置と受光センサの光軸上以外の位置とに切替える。そうすることによって、撮影する方向を変化させることができる。
【０００８】
第６の従来技術は、特許文献５に記載されている。特許文献５の携帯情報端末機は、筺体の表裏に撮影用透過窓を有し、二枚の傾斜角度の異なるミラーを有するスライド片を、それらのミラーの少なくとも一方が撮像素子の光軸上に配置されるように移動可能に設置されている。スライド片を移動させることによって、撮影方向を変化させることができる。
【０００９】
【特許文献１】特開２００３−６９８６８号公報
【特許文献２】特開２００３−１１０８９５号公報
【特許文献３】特開２００３−２６４６１９号公報
【特許文献４】特開２００４−８０１４７号公報
【特許文献５】特開２００４−１３３２２号公報
【非特許文献１】Ｖ４０２ＳＨ  取扱説明書基本操作偏，日本，ボーダフォン株式会社，第１−１０頁、第１−１１頁、第７−４頁〜第７−９頁
【発明の開示】
【発明が解決しようとする課題】
【００１０】
第１の従来技術のカメラ付き携帯電話機３１では、撮影者を撮影する場合、開口部３５と同じ面にあるサブＬＣＤ３９に映される画像を確認しながら撮影することになる。サブＬＣＤ３９は、撮影者自身を撮影するときおよび時計の表示などに使用され、たとえば６０×４０ドットのカラーＬＣＤで実現されるのに対し、メインＬＣＤ３８は、風景などを撮影するときおよび入力キー４０によって入力される文字などの表示などに使用され、たとえば２４０×１６０ドットのカラーＬＣＤで実現される。そのような場合、サブＬＣＤ３９は、メインＬＣＤ３８と比べて、総ドット数が１／１６であり、画像の緻密さと色再現性とに問題があった。また、撮影する画像を確認するためにサブＬＣＤ３９を用いるためには、安価な白黒ＬＣＤではなくて、高価なカラーＬＣＤを用いないと、機能を充分に果たせないので、カラー表示にするためのコストが余分にかかってしまう。
【００１１】
第２の従来技術の携帯型情報端末機器では、カメラを有する筺体とは別の筺体にミラーを有するので、撮影方向を変化させるためには、折り畳み状態で使用する必要がある。したがって、撮影する画像を表示手段などで確認して撮影することができない。
【００１２】
第３の従来技術のカメラ付き携帯電話機では、入力部を有する筺体と表示部およびカメラを有する筺体とを備え、それらがヒンジによって折り畳み可能に接続されており、さらに、入力部を有する筺体にヒンジを有する。したがって、ヒンジが二つ必要なので、小型化が困難であり、高価なものとなってしまう。
【００１３】
第４の従来技術のカメラ付き通信端末装置では、通信端末装置にカメラを回転機構によって回転自在に取り付けられている。したがって、通信端末装置本体の回路とカメラとを高価な可動式のフレキシブルケーブルなどを用いて、電源および信号線などを接続する必要である。さらに、カメラを回転した後、カメラを固定する必要があるので、カメラを固定するための技術が必要であり、カメラ付き通信端末装置としての信頼性に問題がある。
【００１４】
第５の従来技術のカメラ付き携帯端末機では、筺体の外部にミラーを有する部材を備えており、撮影する方向を変えるために、その部材を組み立ててミラーを設置する角度を変化させる。したがって、撮影する方向を変えるのに、手間がかかってしまい、ミラーを有する部材が筺体の外部にあるので、撮影される画像が安定しない。
【００１５】
第６の従来技術の携帯情報端末機では、スライド片にはミラーが二枚必要であり、そのスライド辺をスライドさせるためのスペースが筺体内に必要であるので、筺体が大きくなってしまう。
【００１６】
本発明の目的は、小型で、容易な操作で撮影する方向を変化させることができ、さらに撮影する画像をメインＬＣＤで確認しながら撮影できるカメラ付き携帯端末装置およびカメラ付き携帯電話機を提供することである。
【課題を解決するための手段】
【００１７】
本発明は、光を電気的な信号に変換して画像を撮像する撮像手段と、
光を反射する反射手段と、
前記反射手段を前記撮像手段の光軸上であって前記撮像手段に光を反射する位置と前記撮像手段の光軸上以外の位置とに移動させて切替える切替手段とを有することを特徴とするカメラ付き携帯端末装置である。
【００１８】
また本発明は、所定の表示内容を表示する表示手段と、
開放方向が前記表示手段の表示方向と同一の方向となるように設けられた第１開口部と、
開放方向が前記第１開口部の開放方向と直交するように設けられた第２開口部と、
光を電気的な信号に変換して画像を撮像する撮像手段と、
光を反射する反射手段と、
前記反射手段を第１位置と第２位置とに移動させて切替える切替手段とを有し、
前記撮像手段は、前記第１開口部および前記第２開口部のいずれか一方が光軸上になるように設けられ、
前記第１位置は、前記撮像手段の光軸上であって前記第１開口部および前記第２開口部のもう一方から入射された光を前記撮像手段に反射する位置であり、
前記第２位置は、前記撮像手段の光軸上以外の位置であることを特徴とするカメラ付き携帯端末装置である。
【００１９】
また本発明は、前記反射手段は、前記撮像手段によって撮像する光以外を遮断するように構成されていることを特徴とする。
また本発明は、前記反射手段は、ミラーを含んで構成されることを特徴とする。
【００２０】
また本発明は、前記切替手段は、筺体の外部に突出するように設けられた移動可能な切替部材を有し、
前記切替部材を移動させることによって、前記反射手段を移動させるように構成されることを特徴とする。
【００２１】
また本発明は、第１筺体および第２筺体を有し、前記第１筐体と前記第２筐体とが折り畳み可能に構成されるカメラ付き携帯電話機において、
前記第１筺体には、前記第１筺体および前記第２筺体を相互に対向させた折り畳み状態で前記第１筺体の前記第２筺体に対向する対向領域に設けられ、所定の表示内容を表示する表示手段と、
開放方向が前記表示手段の表示方向と同一の方向となるように設けられた第１開口部と、
開放方向が前記第１開口部の開放方向と直交するように設けられた第２開口部と、
光を電気的な信号に変換して画像を撮像する撮像手段と、
光を反射する反射手段と、
前記反射手段を第１位置と第２位置とに移動させて切替える切替手段とを有し、
前記撮像手段は、前記第１開口部および前記第２開口部のいずれか一方が光軸上になるように設けられ、
前記第１位置は、前記撮像手段の光軸上であって前記第１開口部および前記第２開口部のもう一方から入射された光を前記撮像手段に反射する位置であり、
前記第２位置は、前記撮像手段の光軸上以外の位置であることを特徴とするカメラ付き携帯電話機である。
【００２２】
また本発明は、前記第２筺体には、前記第１筺体の前記撮像手段が配置されている凸部に対応して、凹部が形成されていることを特徴とする。
【００２３】
また本発明は、前記第２開口部は、第１筺体のヒンジと接続する領域とは反対側の領域に設けられることを特徴とする。
【発明の効果】
【００２４】
本発明によれば、切替手段によって、反射手段を撮像手段の光軸上以外の位置に移動させると、撮像手段は、その光軸上の光を電気的な信号に変換して画像を撮像する。それに対して、切替手段によって、反射手段を撮像手段の光軸上であって撮像手段に光を反射する位置に移動させると、撮像手段は、反射手段によって反射された光を電気的な信号に変換して画像を撮像する。したがって、切替手段によって反射手段の位置を切替える容易な操作で撮影する方向を変化させることができる。さらに、切替手段によって反射手段の位置を切替えるだけであるので、装置を大型化する必要がなく、小型な装置で実現することができる。
【００２５】
また本発明によれば、第１開口部および第２開口部のいずれか一方が光軸上となるように設けられている撮像手段を有する。切替手段によって、撮像手段の光軸上であって撮像手段に第１開口部および第２開口部のもう一方から入射された光を反射する位置である第１位置と撮像手段の光軸上以外の位置である第２位置とに反射手段を移動させて切替えることによって、撮像手段によって電気的な信号に変換されて画像が撮像される光が、第１開口部からの入射光と第２開口部からの入射光とに切替えることができる。そうすることによって、反射手段の位置を移動させるだけの容易な操作で、撮影する方向を変化させることができ、さらに、切替手段によって反射手段の位置を切替えるだけであるので、装置を大型化する必要がなく、小型な装置で実現することができる。
【００２６】
さらに、開放方向が所定の表示内容を表示する表示手段の表示方向と同一である第１開口部からの入射光に基づいて撮像する場合、撮影者は、表示手段に表示される画像を確認しながら、撮影者自身を撮影することができる。また、開放方向が第１開口部の開放方向と直交する第２開口部からの入射光に基づいて撮像する場合、撮影者は、表示手段に表示される画像を確認しながら、風景などの撮影者以外を撮影することができる。
【００２７】
また本発明によれば、反射手段は、撮像手段によって撮像する光以外を遮断するように構成されているので、撮像手段で撮像する際、不必要な光が遮断され、所望する画像を鮮明に撮影することができる。
【００２８】
また本発明によれば、反射手段は、ミラーを含んで構成されるので、入射光を容易に反射させることができる。
【００２９】
また本発明によれば、切替手段は、筺体の外部に突出するように設けられた移動可能な切替部材を有し、その切替部材を移動させることによって、前記反射手段を移動させるように構成されている。そうすることによって、撮影者が切替部材を移動させると、その切替部材の移動に連動して反射手段の位置を切替えることができ、撮影する方向を容易に切替えることができる。
【００３０】
また本発明によれば、第１筺体および第２筺体を有し、それらが折り畳み可能に構成されるカメラ付き携帯電話機である。表示手段は、第１筺体および第２筺体を相互に対向させた折り畳み状態で第１筺体の第２筺体に対向する対向領域に設けられ、撮像手段は、第１開口部および第２開口部のいずれか一方が光軸上となるように設けられている。切替手段によって、撮像手段の光軸上であって撮像手段に第１開口部および第２開口部のもう一方から入射された光を反射する位置である第１位置と撮像手段の光軸上以外の位置である第２位置とに反射手段を移動させて切替えることによって、撮像手段によって電気的な信号に変換されて画像が撮像される光が、第１開口部からの入射光と第２開口部からの入射光とに切替えることができる。そうすることによって、反射手段の位置を移動させるだけの容易な操作で、撮影する方向を変化させることができ、さらに、切替手段によって反射手段の位置を切替えるだけであるので、装置を大型化する必要がなく、小型な装置で実現することができる。
【００３１】
さらに、折り畳み状態で対向する領域が外部に露出する展開状態で、開放方向が所定の表示内容を表示する表示手段の表示方向と同一である第１開口部からの入射光に基づいて撮像する場合、撮影者は、表示手段に表示される画像を確認しながら、撮影者自身を撮影することができる。また、開放方向が第１開口部の開放方向と直交する第２開口部からの入射光に基づいて撮像する場合、撮影者は、表示手段に表示される画像を確認しながら、風景などの撮影者以外を撮影することができる。
【００３２】
また本発明によれば、第２筺体には、第１筺体の撮像手段が配置されている凸部に対応して、凹部が形成されている。そうすることによって、折り畳み状態のカメラ付き携帯電話機は、厚くならずにすみ、小型化が実現される。
【００３３】
また本発明によれば、第２開口部は、第１筺体のヒンジと接続する領域とは反対側の領域に設けられるので、撮影者以外を撮影する際、撮影しやすい。
【発明を実施するための最良の形態】
【００３４】
以下に本発明を実施の形態によって詳細に説明する。本実施形態では、カメラ付き携帯端末装置の１つとしてカメラ付き携帯電話機について説明する。本実施形態であるカメラ付き携帯電話機は、撮影される画像を確認しながら撮影することができ、撮影者自身を撮影するためと風景などの撮影者以外を撮影するためとに撮影する方向を変化させることができる携帯電話機である。
【００３５】
図１は、本発明の実施形態である携帯電話機１の構成を示す概略図である。図１（ａ）は、撮影者を撮影する際の携帯電話機１の構成を示す概略図であり、図１（ｂ）は、撮影者以外を撮影する際の携帯電話機１の構成を示す概略図である。
【００３６】
携帯電話機１は、第１筺体１１と第２筺体１２とをヒンジ１３によって折り畳み可能に接続されている。第１筺体１１には、メインＬＣＤ１４、サブＬＣＤ１５、第１開口部１６、第２開口部１７、ミラー１８、レンズ１９、ＣＣＤ２０および図示しない切替スイッチなどを有する。第２筺体１２には、入力キー２１などを有する。なお、図１では、ヒンジ１３を中心として、第１筺体１１と第２筺体１２とを所定の角度に展開した展開状態の携帯電話機１を示す。
【００３７】
メインＬＣＤ１４は、後述の画像データおよび入力キー２１によって入力される文字などを表示する。メインＬＣＤ１４は、折り畳み状態で、第１筺体１１の第２筺体１２が対向する対向領域に設置されており、たとえば、２４０×１６０ドットのカラーＬＣＤで実現される。メインＬＣＤ１４は、表示手段に相当する。サブＬＣＤ１５は、時計表示、アンテナ強度表示およびバッテリ表示などに使用される。サブＬＣＤ１５は、折り畳み状態で、外部に露出し、第１筺体１１の対向領域と平行な領域に設置されており、白黒ＬＣＤで実現される。本実施形態では、サブＬＣＤ１５の総ドット数は、メインＬＣＤ１４の総ドット数の１／１６以下としている。
【００３８】
第１開口部１６は、対向領域が外部に露出する展開状態のとき、撮影者２２と同一側にある被写体２３からの光を第１筺体１１内に入射させる。第１開口部１６は、開放方向がメインＬＣＤ１４の表示方向と同一の方向になるように対向領域に設けられる。第２開口部１７は、撮影者２２と異なる側にある被写体２４からの光を第１筺体１１内に入射させる。第２開口部１７は、開放方向が第１開口部１６の開放方向と直交するように、第１筺体１１の外部に露出する露出領域で、ヒンジ１３が接続された領域と反対側にある領域に設置される。第１開口部１６および第２開口部１７は、ガラスおよび透明なプラスチック板などで覆われていてもよい。
【００３９】
ミラー１８は、光が照射されると、反射してその光路を曲げることができる。ミラー１８は、切替スイッチを移動させることによって連動してレンズ１９の光軸上でレンズ１９に第２開口部１７から入射される光を反射する位置である第１位置とレンズ１９の光軸上以外の位置である第２位置とに移動させることができるように設置される。ミラー１８は、反射手段に相当する。レンズ１９は、照射された光を集光してＣＣＤ２０に照射する。レンズ１９は、その光軸上に第１開口部が設けられるように設置する。ＣＣＤ２０は、レンズ１９によって集光されて照射された光を電気信号に変換して、画像データを生成させる。レンズ１９およびＣＣＤ２０は、撮像手段に相当する。
【００４０】
入力キー２１は、撮影者による操作によって所定の情報を入力する。入力キー２１は、第２筺体１２の対向領域に設置され、数字データ、文字データおよび携帯電話機１への指示などを入力する複数のキーによって実現される。携帯電話機１への指示を入力するキーには、ＣＣＤ２０によって生成された画像データを図示しない記憶手段への記憶を指示するキー、つまり、携帯電話機１に撮影を指示するシャッタキーを含む。
【００４１】
第１筺体１１は、ミラー１８、レンズ１９およびＣＣＤ２０が形成されている領域は、それらが、厚み方向に並んで設けられているので、他の第１筺体１１の領域より厚く、凸部が形成される。第２筺体１２は、対向状態で、第１筺体１１に形成される凸部に対向する領域に凹部を形成する。そうすることによって、折り畳み状態の携帯電話機１は、厚くならない。
【００４２】
携帯電話機１では、第１筺体１１と第２筺体１２とを展開した展開状態で、第１筺体１１を携帯電話機１の上部とし、第２筺体１２を携帯電話機１の下部とし、メインＬＣＤ１４の表示方向を正面とする。
【００４３】
図２は、本発明の実施形態である携帯電話機１の展開状態の概観図である。図２（ａ）は、携帯電話機１の正面図である。図２（ｂ）は、携帯電話機１の上面図である。
【００４４】
図２（ａ）に示すように、メインＬＣＤ１４および第１開口部１６は、両方とも第１筺体１１の対向領域に形成されており、同一方向を向いている。切替スイッチ２５は、第１筺体１１の右側面に形成されており、第１筺体１１の右側面に沿う方向である矢符２６の方向に移動する。図２（ｂ）に示すように、第２開口部１７は、第１筺体１１の上面に形成されている。
【００４５】
切替スイッチ２５は、ミラー１８と図示しない連結部材によって連結されている。携帯電話機１は、切替スイッチ２５を撮影者が移動させると、図示しない連結部材によって、切替スイッチ２５の移動に連動してミラー１８を移動させることができ、その位置を、レンズ１９の光軸上である第１位置と光軸上以外の第２位置とに切替えることができる。なお、切替スイッチ２５および連結部材は、切替手段に相当し、切替スイッチ２５は、切替部材に相当する。切替スイッチ２５を移動させて、図１（ａ）に示すように、ミラー１８の位置をレンズ１９の光軸上以外に切替えると、第１開口部１６から入射された光、つまり、被写体２３からの光をレンズ１９に直接照射させる。図１（ｂ）に示すように、ミラー１８の位置をレンズ１９の光軸上に切替えると、第２開口部１７から入射された光、つまり、被写体２４からの光をミラー１８で反射されて、レンズ１９に照射させる。したがって、切替スイッチを移動させて一枚のミラーを移動させるだけで、被写体２３からの光に基づく撮影と被写体２４からの光に基づく撮影とに、撮影する方向を容易に切り替えすることができ、小型で、操作性の良い携帯電話機を実現することができる。
【００４６】
また、ミラー１８は、図１（ａ）に示すように、その位置がレンズ１９の光軸上以外に切り替えられている場合は、第２開口部１７から入射される光を遮断し、図１（ｂ）に示すように、その位置がレンズ１９の光軸上に切り替えられている場合は、第１開口部１６から入射される光を遮断する。そうすることによって、撮像するのに必要のない光が遮断され、所望する画像を鮮明に撮影することができる。
【００４７】
さらに、図１および図２（ａ）に示すように、第１開口部１６がメインＬＣＤ１４と同一の方向に設置されているので、メインＬＣＤ１４に表示される画像を確認しながら、撮影者２２を撮影することができる。図１および図２（ｂ）に示すように、第２開口部１７がメインＬＣＤ１４と異なる方向に設置されているので、メインＬＣＤ１４に表示される画像を確認しながら、撮影者２２以外の風景などを撮影することができる。また、第１開口部１６は、図２に示すように、携帯電話機１の第１筺体１１の上端部に形成して、実施することができるので、小型化が可能であり、デザインとしても優れた携帯電話機を実現することができる。
【００４８】
また、撮影方向の切替は、第１筺体１１の右側面に形成されている切替スイッチ２５を第１筺体１１に沿うように、移動させるだけなので、容易に、切替えることができる。
【００４９】
本実施形態は、サブＬＣＤ１５を設置している折り畳み可能な携帯電話機について説明したが、本発明は、サブＬＣＤ１５を用いて、撮影する画像を確認しないので、サブＬＣＤ１５は、設けていなくてもよい。さらに、折り畳まない携帯電話機、いわゆる、キャンディーバータイプの携帯電話機であってもよい。その場合、入力キー２１は、メインＬＣＤ１４と同一筺体内に配置されるようにする以外は、携帯電話機１と同様である。
【００５０】
本実施形態は、カメラ付き携帯電話機を例に挙げて説明したが、本発明は、カメラ付き携帯端末装置であれば、たとえばカメラ付きＰＤＡ（Personal Digital Assistance）などでもよい。
【図面の簡単な説明】
【００５１】
【図１】本発明の実施形態である携帯電話機１の構成を示す概略図である。
【図２】本発明の実施形態である携帯電話機１の展開状態の概観図である。
【図３】第１の従来技術であるカメラ付き携帯電話機３１の概略図である。
【符号の説明】
【００５２】
１  携帯電話機
１１，３２  第１筺体
１２，３３  第２筺体
１３，３４  ヒンジ
１４，３８  メインＬＣＤ
１５，３９  サブＬＣＤ
１６  第１開口部
１７  第２開口部
１８  ミラー
１９，３６  レンズ
２０，３７  ＣＣＤ
２１，４０  入力キー
２２  撮影者
２３，２４，４１  被写体
２５  切替スイッチ
２６  矢符
３１  カメラ付き携帯電話機
３５  開口部
【図１】
2006195085.tif 000003
【図２】
2006195085.tif 000004
【図３】
2006195085.tif 000005